(57)【特許請求の範囲】
【請求項１】
グラフィックデータ、コントロールデータ、クロックデータよりなるデジタルビデオデータをそれぞれのチャンネル別にシリアル伝送する方法において、
前記グラフィックデータの伝送される度にそのＤＣバランスの程度を示す相違度を算出する過程と、
前記算出された相違度をグラフィックデータの伝送される度に累算する過程と、
前記累算された相違度が所定の臨界値に到達したかを検査する過程と、
前記累算された相違度が所定の臨界値に到達していないと入力されたグラフィックデータをそのまま伝送し、累算された相違度が所定の臨界値に到達していると入力されたグラフィックデータを反転させるスクランブリング過程とを含むデジタルビデオデータの伝送方法。
【請求項２】
前記相違度は“０”ビットの数と“１”ビットの数との差で算出されることを特徴とする請求項１に記載のデジタルビデオデータの伝送方法。
【請求項３】
前記臨界値は上下限の２つの値を有し、
前記スクランブリング過程は現在入力されたグラフィックデータの相違度が負数であり、累算された相違度が下限値以下なら入力されたグラフィックデータを反転させ出力することを特徴とする請求項２に記載のデジタルビデオデータの伝送方法。
【請求項４】
前記スクランブリング過程は現在入力されたグラフィックデータの相違度が正数であり、累算された相違度が上限値以上なら入力されたデータを反転させ出力することを特徴とする請求項３に記載のデジタルビデオデータの伝送方法。
【請求項５】
前記グラフィックデータが反転されたことを表示するためにヘッダビットを付加える過程をさらに具備することを特徴とする請求項１に記載のデジタルビデオデータの伝送方法。
【請求項６】
前記コントロールデータには前記グラフィックデータが有効なことを示すデータイネーブルビットを含み、
前記各過程は前記データイネーブルビットが前記グラフィックデータが有効なことを示す状態で行われることを特徴とする請求項１に記載のデジタルビデオデータの伝送方法。
【請求項７】
前記データイネーブルビットが、前記グラフィックデータが有効でないことを示す状態で所定のシンクパターンを伝送する過程をさらに具備することを特徴とする請求項６に記載のデジタルビデオデータの伝送方法。
【請求項８】
前記シンクパターンはシンクパターンを構成する“０”のビット数と“１”のビット数との差が所定値以下となることを特徴とする請求項７に記載のデジタルビデオデータの伝送方法。
【請求項９】
前記所定値は±１であることを特徴とする請求項８に記載のデジタルビデオデータの伝送方法。
【請求項１０】
元のコントロールデータ値により決定されるビット値を有する余剰ビットを前記コントロールデータに付加える過程をさらに具備することを特徴とする請求項７に記載のデジタルビデオデータの伝送方法。
【請求項１１】
前記余剰ビットの数は、
（入力されたグラフィックデータのビット数＋１（ヘッダビット）−入力されたコントロールデータのビット数）として決定されることを特徴とする請求項１０に記載のデジタルビデオデータの伝送方法。
【請求項１２】
前記余剰ビットのそれぞれのビット値は入力されたコントロールデータの各ビット値が相互反対であることを特徴とする請求項１１に記載のデジタルビデオデータの伝送方法。
【請求項１３】
入力されたコントロールデータの各ビットと前記余剰ビットは交互に配置されることを特徴とする請求項１２に記載のデジタルビデオデータの伝送方法。
【請求項１４】
グラフィックデータ、コントロールデータ、クロックデータよりなるデジタルビデオデータをそれぞれのチャンネル別にシリアル伝送し、グラフィックデータはＤＣバランス及びチャンネル間スキュー補償のために反転あるいは非反転されて特定のビットパターンを有するシンクパターンを挿入して伝送し、コントロールデータはＤＣバランス及びチャンネル間スキュー補償のために一定の符号化ルールにより余剰ビットを付加え符号化して伝送するデジタルビデオデータを受信してグラフィックデータ、コントロールデータ、クロックデータを再生するデジタルビデオデータの受信方法において、
前記シリアル伝送されたグラフィックデータから特定のビットパターンを検出して有効なグラフィックデータの開始部分を判断する過程と、
判断された開始部分から受信されたグラフィックデータを一定のビットずつ切断する過程と、
一定のビットずつ切断されたグラフィックデータを反転あるいは非反転して符号化される前のデータを復元する過程とを含むことを特徴とするデジタルビデオデータの受信方法。
【請求項１５】
伝送されるグラフィックデータには反転するか否かを示すヘッダビットを含み、
前記復元過程はヘッダビットに基づいて前記切断されたグラフィックデータを反転あるいは非反転して符号化される前のデータを復元することを特徴とする請求項１４に記載のデジタルビデオデータの受信方法。
【請求項１６】
シリアル伝送されたコントロールデータに対して符号化時適用された符号化規則を適用することによってコントロールデータの開始部分を判断する過程と、
判断された開始部分からコントロールデータを一定のビットずつ切断する過程と、
一定のビットずつ切断されたコントロールデータから余剰ビットを除き符号化される前のコントロールデータを復元する過程とを含むことを特徴とする請求項１５に記載のデジタルビデオデータの受信方法。
【請求項１７】
グラフィックデータ、コントロールデータ、クロックデータよりなるデジタルビデオデータをそれぞれのチャンネル別にシリアル伝送する装置において、
前記グラフィックデータをＤＣバランス及びチャンネル間スキュー補償のためにスクランブリング処理するスクランブラと、
前記コントロールデータをＤＣバランス及びチャンネル間スキュー補償のために符号化するコントロール符号化部と、
前記スクランブラの出力をシリアルデータに変換してグラフィックチャンネルに出力するグラフィックデータ並列／直列変換器と、
前記コントロール符号化部の出力をシリアルデータに変換してコントロールチャンネルに出力するコントロールデータ並列／直列変換器と、
前記クロックデータを流入し、前記スクランブラ、コントロール符号化部、グラフィックデータ並列／直列変換器、そして前記コントロールデータ並列／直列変換器の動作クロックを提供したり、動作クロックをクロックチャンネルに出力する位相同期ループとを含むデジタルビデオデータの伝送装置。
【請求項１８】
前記スクランブラは伝送するグラフィックデータの入力される度にそのＤＣバランスの程度を示す相違度を算出し、前記算出された相違度をグラフィックデータの入力される度に累算し、前記累算された相違度が所定の臨界値に到達したかを検査し、前記累算された相違度が所定の臨界値に到達していないと入力されたグラフィックデータをそのまま出力し、累算された相違度が所定の臨界値に到達していると入力されたグラフィックデータを反転させ出力することを特徴とする請求項１７に記載のデジタルビデオデータの伝送装置。
【請求項１９】
前記相違度は入力されたグラフィックデータで“０”のビット数と“１”のビット数との差で算出されることを特徴とする請求項１８に記載のデジタルビデオデータの伝送装置。
【請求項２０】
前記臨界値は上下限の２つの値を有し、
前記スクランブラは現在入力されたグラフィックデータの相違度が負数であり、累算された相違度が下限値以下なら入力されたグラフィックデータを反転させ出力することを特徴とする請求項１９に記載のデジタルビデオデータの伝送装置。
【請求項２１】
前記スクランブラは現在入力されたビデオデータの相違度が正数であり、累算された相違度が上限値以上なら入力されたデータを反転させ出力することを特徴とする請求項２０に記載のデジタルビデオデータの伝送装置。
【請求項２２】
前記スクランブラはグラフィックデータが反転／非反転されたことを示すためのヘッダビットを付加えて出力することを特徴とする請求項１８に記載のデジタルビデオデータの伝送装置。
【請求項２３】
前記コントロールデータには前記グラフィックデータが有効なことを示すデータイネーブルビットを含み、
前記スクランブラは前記データイネーブルビットが、前記グラフィックデータが有効なことを示す状態でデータの反転／非反転動作を行うことを特徴とする請求項１８に記載のデジタルビデオデータの伝送装置。
【請求項２４】
前記スクランブラは前記データイネーブルビットが、前記グラフィックデータが有効でないこと示す状態で所定のシンクパターンを出力することを特徴とする請求項２３に記載のデジタルビデオデータの伝送装置。
【請求項２５】
前記シンクパターンはシンクパターンを構成する“０”のビット数と“１”のビット数との差が所定値以下となることを特徴とする請求項２４に記載のデジタルビデオデータの伝送装置。
【請求項２６】
前記所定値は±１であることを特徴とする請求項２５に記載のデジタルビデオデータの伝送装置。
【請求項２７】
前記コントロール符号化部は、
前記コントロールデータに元のコントロールデータ値により決定されるビット値を有する余剰ビットを付加え出力することを特徴とする請求項１８に記載のデジタルビデオデータの伝送装置。
【請求項２８】
前記余剰ビット数は、
入力されたグラフィックデータのビット数＋１（ヘッダビット）−入力されたコントロールデータのビット数として決定されることを特徴とする請求項２７に記載のデジタルビデオデータの伝送装置。
【請求項２９】
前記余剰ビットのそれぞれのビット値は入力されたコントロールデータの各ビット値と不正論理和の関係を有することを特徴とする請求項２８に記載のデジタルビデオデータの伝送装置。
【請求項３０】
入力されたコントロールデータの各ビットと前記余剰ビットとは交互に配置されることを特徴とする請求項２９に記載のデジタルビデオデータの伝送装置。
【請求項３１】
グラフィックデータ、コントロールデータ、クロックデータよりなるデジタルビデオデータをそれぞれのチャンネル別にシリアル伝送し、グラフィックデータはＤＣバランス及びチャンネル間スキュー補償のために反転あるいは非反転され、コントロールデータもＤＣバランス及びチャンネル間スキュー補償のために符号化されたデジタルビデオデータを受信してグラフィックデータ、コントロールデータ、クロックデータを再生するデジタルビデオデータの受信装置において、
伝送されたグラフィックデータをＤＣバランス状態によって反転あるいは非反転処理し、前記クロックチャンネルを通じて伝送されたクロック信号に同期してパラレル信号に出力するデスクランブラと、
伝送されたコントロールデータを復号化し、前記クロックチャンネルを通じて伝送されたクロック信号に同期してパラレル信号を出力するコントロール復号化部と、
前記クロックチャンネルを通じて伝送されたクロック信号を流入し、前記デスクランブラ及び前記コントロール復号化部に提供されるクロック信号を発生したり、発生されたクロック信号を出力する位相同期ループとを含むデジタルビデオデータの受信装置。
【請求項３２】
前記伝送されたグラフィックデータはデータが反転あるいは非反転されたことを示すヘッダビットを有し、
前記デスクランブラは前記ヘッダビットの値によって伝送されたデータを反転あるいは非反転させ出力することを特徴とする請求項３１に記載のデジタルビデオデータの受信装置。
【請求項３３】
前記グラフィックデータはデータの無効な期間中に伝送されるシンクパターンを有し、
前記シンクパターンを検出することによって伝送されたグラフィックデータを切断して前記デスクランブラに提供する同期部をさらに具備することを特徴とする請求項３２に記載のデジタルビデオデータの受信装置。
【請求項３４】
前記同期部は前記シンクパターンが所定回数以上正しく入力されると伝送されたグラフィックデータを切断して前記デスクランブラに提供することを特徴とする請求項３３に記載のデジタルビデオデータの受信装置。
【請求項３５】
前記同期部は前記グラフィックデータで所定回数以上エラーが発生するとリセットされることを特徴とする請求項３４に記載のデジタルビデオデータの受信装置。
【請求項３６】
前記コントロールデータは所定の符号化ルールにより符号化されたものであって、
前記符号化ルールを検査することによって伝送されたコントロールデータを切断して前記コントロール復号化部に提供するコントロール同期部をさらに具備することを特徴とする請求項３３に記載のデジタルビデオデータの受信装置。
【請求項３７】
前記コントロール同期部は前記コントロールデータが所定回数以上正しく入力されると伝送されたコントロールデータを切断して前記コントロール復号化部に提供することを特徴とする請求項３６に記載のデジタルビデオデータの受信装置。
【請求項３８】
前記コントロール同期部は前記コントロールデータで所定回数以上エラーが発生するとリセットされることを特徴とする請求項３７に記載のデジタルビデオデータの受信装置。
【請求項３９】
前記コントロール復号化部から出力されるコントロールデータと前記デスクランブラから出力されるグラフィックデータの時間間隔を調整するために前記コントロール復号化部から出力されるコントロールデータを延ばすコントロール整合器をさらに具備することを特徴とする請求項３１に記載のデジタルビデオデータの受信装置。
【発明の詳細な説明】
【０００１】
【発明の属する技術分野】
本発明はデジタルビデオデータの伝送に係り、特にグラフィックデータ、コントロールデータ、そしてクロックデータよりなるデジタルビデオデータを各データに割当てられたチャンネルを通じてシリアル伝送することに当たって各チャンネルのＤＣ（直流）バランス及びチャンネル間の時間的不一致のスキューに対応するデータ伝送方法、伝送装置及び受信装置に関する。
【０００２】
【従来の技術】
コンピュータから発生されたデジタルビデオ信号はモニターに伝送されてディスプレーされる。このようなデジタルビデオ信号は８ビットのグラフィックＲ／Ｇ／Ｂデータ、同期及びグラフィックデータが有効か否かを示すためのコントロールデータ、伝送されるデータの正しい再生のためのクロックデータよりなる。
【０００３】
モニターの解像度が高まることによってさらに迅速なデータの伝送が要され、現在のＴＴＬ（トランジスタ−トランジスタレベル）信号としては迅速なデータ伝送に対応しにくい。これを解消するために光伝送媒体を用いたデジタルビデオ信号の伝送が研究されている。光伝送媒体を用いる場合Ｒ／Ｇ／Ｂデータ、コントロールデータ、クロック信号を各々３つ、１つ、１つのチャンネルに割当て、各チャンネルではシリアル伝送する。
【０００４】
このようなシリアル伝送方法においては各データの始終を把握して各チャンネルから伝送される信号を正確に配列するようにスキューを補償することが重要である。従来のようなパラレル伝送方式によれば各チャンネル間の配列がずれても１つあるいは幾つかの画素範囲で歪曲されるだけであるが、シリアル伝送方式においては全画面が歪曲されうるからである。
【０００５】
また、デジタル信号の伝送に当たって信号が一方に偏ると、即ち、ＤＣバランスがずれると受信側で受信された信号を正しく復調しにくいということはよく知られている。従って、信号のレベルが一方に偏らないようにＤＣバランスを保つべきである。
【０００６】
【発明が解決しようとする課題】
本発明は前記問題点を解決するために案出されたものであって、グラフィックデータ、コントロールデータ、そしてクロックデータよりなるデジタルビデオデータを各データに割当てられたチャンネルを通じてシリアル伝送する方法において各チャンネルのＤＣバランス及びチャンネル間スキューに対応するデジタルビデオデータの伝送方法を提供することをその目的とする。
【０００７】
本発明の他の目的は、前記デジタルビデオデータの伝送方法に適した受信方法を提供することにある。
【０００８】
本発明のさらに他の目的は、伝送されるデータのＤＣバランス及びチャンネル間のスキューに対応するデジタルビデオデータの伝送装置を提供することにある。
【０００９】
本発明のさらに他の目的は、前記データ伝送装置に適したデジタルビデオデータの受信装置を提供することにある。
【００１０】
【課題を解決するための手段】
前記目的を達成するための本発明に係るデジタルビデオデータの伝送方法は、グラフィックデータ、コントロールデータ、クロックデータよりなるデジタルビデオデータをそれぞれのチャンネル別にシリアル伝送する方法において、前記グラフィックデータの伝送される度にそのＤＣバランスの程度を示す相違度を算出する過程と、前記算出された相違度をグラフィックデータの伝送される度に累算する過程と、前記累算された相違度が所定の臨界値に到達したかを検査する過程と、前記累算された相違度が所定の臨界値に到達していないと入力されたグラフィックデータをそのまま伝送し、累算された相違度が所定の臨界値に到達していると入力されたグラフィックデータを反転させるスクランブリング過程とを含むことを特徴とする。
【００１１】
前記他の目的を達成するための本発明に係るデジタルビデオデータ受信方法は、グラフィックデータ、コントロールデータ、クロックデータよりなるデジタルビデオデータをそれぞれのチャンネル別にシリアル伝送し、グラフィックデータはＤＣバランス及びチャンネル間スキュー補償のために反転あるいは非反転されて特定のビットパターンを有するシンクパターンを挿入して伝送し、コントロールデータはＤＣバランス及びチャンネル間スキュー補償のために一定の符号化ルールにより余剰ビットを付加え符号化して伝送するデジタルビデオデータを受信してグラフィックデータ、コントロールデータ、クロックデータを再生するデジタルビデオデータの受信方法において、前記シリアル伝送されたグラフィックデータから特定のビットパターンを検出して有効なグラフィックデータの開始部分を判断する過程と、判断された開始部分から受信されたグラフィックデータを一定のビットずつ切断する過程と、一定のビットずつ切断されたグラフィックデータを反転あるいは非反転して符号化される前のデータを復元する過程とを含むことを特徴とする。
【００１２】
前記さらに他の目的を達成するための本発明に係るデジタルビデオデータの伝送装置は、グラフィックデータ、コントロールデータ、クロックデータよりなるデジタルビデオデータをそれぞれのチャンネル別にシリアル伝送する装置において、前記グラフィックデータをＤＣバランス及びチャンネル間スキュー補償のためにスクランブリング処理するスクランブラと、前記コントロールデータをＤＣバランス及びチャンネル間スキュー補償のために符号化するコントロール符号化部と、前記スクランブラの出力をシリアルデータに変換してグラフィックチャンネルに出力するグラフィックデータ並列／直列変換器と、前記コントロール符号化部の出力をシリアルデータに変換してコントロールチャンネルに出力するコントロールデータ並列／直列変換器と、前記クロックデータを流入し、前記スクランブラ、コントロール符号化部、グラフィックデータ並列／直列変換器、そして前記コントロールデータ並列／直列変換器の動作クロックを提供したり、動作クロックをクロックチャンネルに出力する位相同期ループとを含むことを特徴とする。
【００１３】
前記さらに他の目的を達成するためのビデオデータの受信装置は、グラフィックデータ、コントロールデータ、クロックデータよりなるデジタルビデオデータをそれぞれのチャンネル別にシリアル伝送し、グラフィックデータはＤＣバランス及びチャンネル間スキュー補償のために反転あるいは非反転され、コントロールデータもＤＣバランス及びチャンネル間スキュー補償のために符号化されたデジタルビデオデータを受信してグラフィックデータ、コントロールデータ、クロックデータを再生するデジタルビデオデータの受信装置において、伝送されたグラフィックデータをＤＣバランス状態によって反転あるいは非反転処理し、前記クロックチャンネルを通じて伝送されたクロック信号に同期してパラレル信号に出力するデスクランブラと、伝送されたコントロールデータを復号化し、前記クロックチャンネルを通じて伝送されたクロック信号に同期してパラレル信号に出力するコントロール復号化部と、前記クロックチャンネルを通じて伝送されたクロック信号を流入し、前記デスクランブラ及び前記コントロール復号化部に提供されるクロック信号を発生したり、発生されたクロック信号を出力する位相同期ループとを含むことを特徴とする。
【００１４】
【発明の実施の形態】
以下、添付した図に基づいて本発明の構成及び動作を詳しく説明する。
【００１５】
デジタルビデオデータはＲ／Ｇ／Ｂグラフィックデータ、コントロールデータ、クロックデータよりなる。このようなデジタルビデオデータをシリアル伝送方式により伝送する場合、Ｒ／Ｇ／Ｂグラフィックデータのための３チャンネル、コントロールデータのための１チャンネル、そしてクロックデータのための１チャンネル、合計５チャンネルが要求される。各チャンネルにおいてデータはシリアル伝送される。
【００１６】
本発明に係るデジタルビデオデータの伝送方法においてはグラフィックデータとコントロールデータに対して相異なる方式によりＤＣバランス及びチャンネル間スキュー補償のための符号化を行う。
【００１７】
１）グラフィックデータの符号化動作
グラフィックデータはＤＥ（データイネーブル）信号の状態によってＤＣバランスのための符号化あるいはチャンネル間スキュー補償のための符号化を行う。
【００１８】
まず、ＤＣバランスのための符号化を説明する。
（１）ＤＣバランスのための符号化動作
ＤＣバランスは伝送されるシリアルデータの偏りを防止するために行われ、コントロールビットＤＥが“ハイ”の時（データが有効な時）はデータを反転あるいは非反転させ伝送し、ＤＥが“ロー”の時はＤＣバランスが保たれるように選定されたシンクビットを伝送する。
【００１９】
コントロールビットＤＥが“ハイ”の場合、即ち、有効なデータが伝送される時“１”あるいは“０”のビット数を相互均衡状態にすることによってＤＣバランスをとる。このためグラフィックデータのＤＣバランスを測定するために相違度を測定、累算し、該累算された相違度値が上限あるいは下限に達すると伝送されるデータを反転させ累算された相違度値を減少あるいは増加させる。
【００２０】
相違度はデータワード（ここで、ワードとはデータ処理単位として８ビットである）に含まれた“０”ビットと“１”ビットの数差で定義される。例えば、８ビットが１つのデータワードを構成し、これらのうち“０”ビットと“１”のビット数が各々４なら相違度は０である。もし、“０”のビット数が２で、“１”ビットの数が６なら相違度は＋４であり、逆に“０”ビットの数が６で、“１”ビットの数が２なら相違度は−４である。
【００２１】
データが入力される度に前述したように相違度を計算し、計算された相違度を累算する。
【００２２】
累算された相違度が所定の限界値、例えば±１６に至らないとデータをそのまま出力し、±１６に至るとデータを反転させ出力する。入力されるデータの相違度がデータの入力される度に＋、−方向に変わるなら所定の限界値に到達しにくく、これは伝送されるデータが何れか一方に偏らないことを意味する。従って、入力されたデータをそのまま伝送する。
【００２３】
もし、入力されるデータの相違度がデータの入力される度に＋あるいは−の何れか一方向に増加して所定の限界値に到達するなら、これは伝送されるデータが何れか一方に偏ったことを意味する。従って、入力されたデータを反転させ伝送することによって伝送されるデータが＋あるいは−の何れか一方に偏らないようにする。
【００２４】
また、データが反転するか否かを表示するために伝送されるデータに１ビットのヘッダビットを付加える。ヘッダビットが“０”の時は非反転された状態を、逆に“１”の時は反転された状態を各々示しうる。
【００２５】
（２）チャンネル間スキュー補償のための符号化動作
ＤＥが“ロー”の場合、即ち有効なデータが伝送されない時は所定のシンクパターンを伝送する。受信側ではシンクパターンを検出することにより伝送されたシリアルデータの始終を正しく判断しうる。
【００２６】
また、シンクパターンも“１”あるいは“０”を有するビット数を相互均衡的に選定することによってＤＣバランスを取る。シンクパターンも伝送されるデータのようなビット数を有するべきである。８ビットを９ビットに変換して伝送する場合（１ビットはヘッダビット）、シンクパターンは［１１１０００１０１］のビットパターンを有することができる。
【００２７】
２）  コントロールデータの符号化動作
コントロールデータはその自体にＤＥを有するので、グラフィックデータのようにＤＥの状態によって符号化できない。従って、本発明ではコントロールデータのビット数に余剰ビットを追加して余剰ビットのビット値を所定の符号化ルールにより設定することによってＤＣバランス及びチャンネル間スキュー補償が行われる。
【００２８】
本発明の実施例においては４ビットのパラレルコントロールデータを９ビットのシリアルコントロールデータ（５個の余剰ビット）に変換する。元の４ビットコントロールデータは変換されたコントロールデータの所定位置に同一値として位置し、残りビットは既位置されたビット値と所定の符号化ルールにより設定される。
【００２９】
符号化ルールはＤＣバランス及びスキュー補償のために設定されたものであって、受信側では適用された符号化ルールによりコントロールデータの始終を正確に判別することになる。
【００３０】
入力されるコントロールデータに対する符号化規則は次の通りである。
【００３１】
0003556174.tif 000002
【００３２】
適用された符号化ルールは次の通りである。
（１）最初の２つのビット（ｂｉｔ８、ｂｉｔ７）は同一である。
（２）最後のの２つのビット（ｂｉｔ１、ｂｉｔ０）は論理的にＮＯＴ（反対）の関係にある。
（３）ｂｉｔ７とｂｉｔ６は論理的にＮＯＴ（反対）の関係にある。
（４）ｂｉｔ５とｂｉｔ４は論理的にＮＯＴ（反対）の関係にある。
【００３３】
前記例からわかるように入力されたコントロールビットは元の値を保ち、余剰ビットは入力されたコントロールビットと反対の値を有することになって伝送されるコントロールデータにおいてＤＣバランスが行われる。
【００３４】
また、受信側では適用された符号化ルールを違反したか否かを検査することによりコントロールデータの始終を正確に判別しうる。
【００３５】
本発明に係るデジタルビデオデータの受信方法においてはグラフィックデータとコントロールデータに対して相異なる方式によりチャンネル間スキュー補償及びＤＣバランスのためな復号化を行う。
【００３６】
１）チャンネル間スキュー補償のための復号
（１）グラフィックデータのスキュー補償
グラフィックデータはシンクパターンによりデータ整列及び切断（ｔｒｕｎｃａｔｉｏｎ）を行う。
【００３７】
受信側は、ＤＥが“ロー”の時、特定のビットパターンを有するシンクパターンを基準としてグラフィックデータの開始部分を判断し、開始部分から一定のビットずつ切断してパラレルデータに変換する。
【００３８】
（２）コントロールデータのスキュー補償
コントロールデータは符号化時適用された符号化規則を適用することによりデータ整列及び切断を行う。
【００３９】
受信側はコントロールデータを符号化するに当たって適用された符号化ルールによりコントロールデータの開始部分を判断し、これを基準として一定のビットずつ切断してパラレルデータに変換する。
【００４０】
２）ＤＣバランスのための復号
（１）グラフィックデータのための復号
グラフィックデータは符号化時適用されたスクランブリング規則を逆に適用することによって複合化する。送信側はヘッダビットに基づいて反転されたグラフィックデータを再反転させ元のデータを復号化する。
【００４１】
（２）コントロールデータのための復号
コントロールデータは符号化時挿入された余剰ビットを除くことによって復号化する。即ち、送信側で余剰ビットの位置を既に把握しているのでこれを用いて余剰ビットを除くことによって元のコントロールビットを抽出しうる。
【００４２】
図１は本発明に係るデジタルビデオデータの送受信装置の構成を示すブロック図である。図１に示された装置はＬＣＤ（液晶表示）グラフィック制御部１０２から出力される２４ビット（Ｒ、Ｇ、Ｂ各々８ビット）のビデオデータ、４ビット（Ｖ−Ｓｙｎｃ、Ｈ−Ｓｙｎｃ、ＤＥ（データイネーブル）、ｒｅｓｅｒｖｅｄ）のコントロールデータ、そしてクロックデータよりなる並列データを入力され、５個のチャンネル（ビデオデータ３チャンネル、コントロールチャンネル、クロックチャンネル）、各チャンネル当り９ビットよりなる直列データに変換して出力する送信部１０４と、送信部１０４から出力される５個のチャンネル、各チャンネル当り９ビットの直列データを入力されて２４ビットのビデオデータ（Ｒ、Ｇ、Ｂ各々８ビット）、４ビットのコントロールデータ、そして元のクロックデータよりなる並列データに復元して出力する受信部１０６を具備する。受信部１０６から出力される２４ビットのビデオデータ（Ｒ、Ｇ、Ｂ各々８ビット）、４ビットのコントロールデータ、そしてクロックデータはＬＣＤグラフィックパネル制御部１０８に提供される。
【００４３】
送信部１０４に入力されるデータは並列データであり、１クロック当りグラフィックデータは８ビット、コントロールデータは４ビットが伝送される。一方、送信部１０４から出力されるデータは直列データであり、１クロック当りグラフィックデータは９ビット、コントロールデータも９ビットである。
【００４４】
図２は図１に示された送信部１０４の詳細な構成を示すブロック図である。図２において、Ｉｎ＿Ｒ［７：０］、Ｉｎ＿Ｇ［７：０］、Ｉｎ＿Ｂ［７：０］は各々図１に示されたＬＣＤグラフィック制御部１０２から出力されるＲ、Ｇ、Ｂチャンネルの８ビット並列データである。
【００４５】
また、Ｏｕｔ＿Ｒ、Ｏｕｔ＿Ｇ、Ｏｕｔ＿Ｂは各々送信部１０４から出力されるＲ、Ｇ、Ｂチャンネルの９ビット直列データであり、Ｏｕｔ＿コントロールは送信部１０４から出力されるコントロールチャンネルの９ビット直列データであり、Ｏｕｔ＿クロックは送信部１０４から出力されるクロックチャンネルの９ビット直列データである。
【００４６】
図２に示された装置は入力されるＲ、Ｇ、Ｂ各々８ビットの並列データをラッチするデータラッチ２０２、２０４、２０６、４ビットのコントロールデータをラッチするコントロールラッチ２０８、それぞれのデータラッチ２０２、２０４、２０６から出力される８ビットの並列データに対してＤＣバランス及びチャンネル間スキュー補償のためのスクランブリングを行って９ビットの並列データに変換するデータスクランブラ２１０、２１２、２１４、コントロールラッチ２０８から出力される４ビットコントロールデータに対してＤＣバランス及びチャンネル間スキュー補償のための符号化を行うコントロール符号化部２１６、コーントロル符号化器２１６から出力される９ビットの並列コントロールデータとデータスクランブラ２１０、２１２、２１４から出力される９ビットの並列データとの時間間隔を補償するためにコントロール符号化器２１６から出力される９ビットの並列コントロールデータを延ばして出力する整合器２１８、データスクランブラ２１０、２１２、２１４から出力される９ビットの並列データと整合器２１８から出力される９ビットの並列コントロールデータとを各内部クロック信号に同期して９ビット直列データに変換して出力する並列／直列変換器２２０、２２２、２２４、並列／直列変換器コントロール２２６、そして入力されるクロック信号に同期して内部クロック信号及び外部クロック信号を発生するＰＬＬ２２８を具備する。
【００４７】
データラッチ２０２、２０４、２０６は図１に示されたＬＣＤグラフィック制御部１０２から提供されるＩｎ＿Ｒ［７：０］、Ｉｎ＿Ｇ［７：０］、Ｉｎ＿Ｂ［７：０］を各々ラッチし、内部クロック信号Ｐ＿クロック０に同期して各々ｌ＿Ｒ［７：０］、ｌ＿Ｇ［７：０］、ｌ＿Ｂ［７：０］として出力する。
【００４８】
一方、コントロールラッチ２０８は図１に示されたＬＣＤグラフィック制御部１０２から提供されるコントロールビットＶ＿Ｓｙｎｃ、Ｈ＿Ｓｙｎｃ、ＤＥ、Ｒｅｓｅｒｖｅｄをラッチし、内部クロック信号Ｐ＿クロック０に同期して各々Ｌ＿Ｖ＿Ｓｙｎｃ、Ｌ＿Ｈ＿Ｓｙｎｃ、Ｌ＿ＤＥ、Ｌ＿Ｒｅｓｅｒｖｅｄとして出力する。
【００４９】
データスクランブラ２１０、２１２、２１４はデータラッチ２０２、２０４、２０６から出力されるｌ＿Ｒ［７：０］、ｌ＿Ｇ［７：０］、ｌ＿Ｂ［７：０］を各々流入し、コントロールラッチ２０８から提供されるＬ＿ＤＥの状態によってＤＣバランス及びチャンネル間スキュー補償のためのスクランブリングを行う。データスクランブラ２１０、２１２、２１４はスクランブリングされた結果を各々Ｓ＿Ｒ［８：０］、Ｓ＿Ｇ［８：０］、Ｓ＿Ｂ［８：０］の９ビット並列データとして出力される。
【００５０】
データスクランブラ２１０、２１２、２１４のスクランブリング動作を詳細に説明すると次の通りである。
【００５１】
１）ＤＣバランスのためのスクランブリング動作
データスクランブラ２１０、２１２、２１４によるスクランブリング動作を詳細に説明する。
【００５２】
データスクランブラ２１０、２１２、２１４はコントロールビットのうちＤＥが“ハイ”の時データラッチ２０２、２０４、２０６から入力されたＲ／Ｇ／Ｂチャンネルの８ビット並列データに対してＤＣバランスのためのスクランブリング動作を行う。
【００５３】
データスクランブラ２１０、２１２、２１４の動作条件は次の通りである。以下Ｒチャンネルのデータスクランブラ２１０の動作について説明し、残りスクランブラ２１２、２１４の動作は省略する。
【００５４】
（１）現在入力されたデータＬ＿Ｒ［７：０］の相違度が０または正数であり、累積相違度が１６以上であればスクランブリング動作がイネーブルされる。
【００５５】
（２）現在入力されたデータＬ＿Ｒ［７：０］の相違度が負数であり、累積相違度が−１６であればスクランブラがイネーブルされる。
【００５６】
前記条件のうち１つだけ満たすとデータスクランブラ２１０が動作し、この時データスクランブラ２１０は入力されたビデオデータＬ＿Ｒ［７：０］の全てのビットを反転させる。そして、反転された８ビットデータの先端に“１”の値を有するヘッダビットを追加する。
【００５７】
これを数式で表現すると次の通りである。
【００５８】
Ｓ＿Ｒ［８：０］＝｛１、−Ｌ＿Ｒ［７：０］｝
ここで、“−”は反転を意味する。
【００５９】
もし、両条件を全て満たせない場合には元の入力されたビデオデータをそのまま取り、８ビットデータの先端に“０”の値を有するヘッダビットを追加する。
【００６０】
これを数式で表現すると次の通りである。
【００６１】
Ｓ＿Ｒ［８：０］＝｛０、Ｌ＿Ｒ［７：０］｝
これと同時にスクランブラ２１０は既に記録されている累積相違度にスクランブリングされたデータＳ＿Ｒ［８：０］の相違度を加算する。
【００６２】
このような動作を通じて±１６ビット内におけるＤＣバランスのためのスクランブリングが行われる。
【００６３】
図３はデータスクランブラによるＤＣバランスのためのスクランブリング動作を示すフローチャートである。以下、Ｒチャンネルのデータスクランブラ２１０の動作について説明し、残りスクランブラ２１２、２１４の動作は省略する。
【００６４】
Ｓ３０２過程とＳ３０４過程では入力されたビデオデータＬ＿Ｒ［７：０］を各々１クロック周期だけ遅延させる。
【００６５】
Ｓ３０６過程では入力されたビデオデータＬ＿Ｒ［７：０］で“１”の値を有するビット数を計数する。
【００６６】
Ｓ３０８過程ではＳ３０６過程で計数された結果に基づいて入力されたビデオデータＬ＿Ｒ［７：０］の相違度を計算する。
【００６７】
Ｓ３１０過程では入力されたビデオデータＬ＿Ｒ［７：０］の相違度及び累算された相違度に基づいてスクランブリングするか否かを決定する。
【００６８】
Ｓ３１２過程ではＳ３１０過程で決定された結果によって遅延されたビデオデータＬ＿Ｒ［７：０］をスクランブリングする。
【００６９】
Ｓ３１４過程ではＳ３１２過程におけるスクランブリングされたデータＳ＿Ｒ［８：０］を入力して相違度を計算する。
【００７０】
Ｓ３１６過程ではＳ３１４過程で計算された相違度を累算する。
【００７１】
２）チャンネル間スキュー補償のためのスクランブリング動作
コントロールビットＤＥが“ロー”の時チャンネル間スキュー補償のためのスクランブリング動作が行われる。この際、スクランブラ２１０の累積相違度を０にリセットし、９ビットのＳｙｎｃ＿Ｖｉｄｅｏ＿Ｃｏｄｅを出力する。Ｓｙｎｃ＿Ｖｉｄｅｏ＿ＣｏｄｅはＤＣバランスされた形態であり、これを数式で表現すると次の通りである。
【００７２】
Ｓｙｎｃ＿Ｖｉｄｅｏ＿Ｃｏｄｅ［８：０］＝［１１１０００１０１］
コントロール符号化器２１６は入力される４ビットのコントロールデータをＤＣバランスのための符号化及びチャンネル間スキュー補償のための符号化を行なう。
【００７３】
１）ＤＣバランスのための符号化動作
入力されるコントロールデータに対する符号化規則は次の通りである。
【００７４】
0003556174.tif 000003
コントロールデータのＤＣバランスは総±１ビット内で行われ、これは後述するスキュー補償にも適用される。
【００７５】
２）チャンネル間スキュー補償のための符号化動作
入力される４ビットのコントロールデータを９ビットに符号化する。符号化された９ビットコントロールデータは次のような条件が適用される。
【００７６】
（１）最初の２ビット（ｂｉｔ８、ｂｉｔ７）は同一である。
【００７７】
（２）  最後のの２ビット（ｂｉｔ１、ｂｉｔ０）は論理的にＮＯＴ（反対）の関係にある。
【００７８】
（３）  ｂｉｔ７とｂｉｔ６は論理的にＮＯＴ（反対）の関係にある。
【００７９】
（４）  ｂｉｔ５とｂｉｔ４は論理的にＮＯＴ（反対）の関係にある。
【００８０】
スキュー補償のためのコントロールデータの符号化規則を参照するとＤＣバランスのための符号化規則にも同一に適用されていることが分かる。即ち、コントロール符号化器２１６は（１）乃至（４）の符号化規則により入力されるコントロールビットを符号化し、これによりＤＣバランス及びチャンネル間スキュー補償に対応されうる。
【００８１】
並列／直列変換器２２０、２２２、２２４、並列／直列変換器コントロール２２６はデータスクランブラ２１０、２１２、２１４から出力される９ビットの並列データと整合器２１８から出力される９ビットの並列コントロールデータとを各内部クロック信号に同期させ９ビット直列データＯｕｔ＿Ｒ、Ｏｕｔ＿Ｇ、Ｏｕｔ＿Ｂ、Ｏｕｔ＿コントロールに変換してそれぞれのチャンネルに出力する。
【００８２】
ＰＬＬ２２８は図１に示されたＬＣＤグラフィック制御部１０２から提供されるクロック信号Ｃｌｏｃｋを流入し、これに同期された内部クロック信号Ｐ＿クロック０及びクロックチャンネルを通じて伝送されるクロック信号Ｏｕｔ＿クロックを発生する。
【００８３】
内部クロック信号Ｐ＿クロック０はデータラッチ２０２、２０４、２０６、コントロールラッチ２０８、スクランブラ２１０、２１２、２１４、コントロール符号化器２１６、並列／直列変換器２２０、２２２、２２４、並列／直列変換器コントロール２２６に各々提供される。
【００８４】
パワーオンリセット部２３０はパワーオン時、図２の装置の動作をリセットする。
【００８５】
図４は図１に示された受信部１０６の詳細な構成を示すブロック図である。図４に示された装置はＲ／Ｇ／Ｂ／コントロールチャンネルの９ビット直列データをラッチし、９ビットの並列データに変換して出力する直列／並列変換器４０２、４０４、４０６、４０８、直列／並列変換器４０２、４０４、４０６、４０８から出力される９ビットの並列データをラッチするラッチ４１０、４１２、４１４、コントロールラッチ４１６、整合器４１８、４２０、４２２、コントロール同期部４２４、データ同期部４２６、４２８、４３０、コントロール復号化部４３２、デスクランブラ４３４、４３６、４３８、コントロール整合器４４０、そしてＰＬＬ４４２を含む。
【００８６】
受信部１０６に入力されるデータは直列データであり、１クロック当りグラフィックデータは９ビット、コントロールデータも９ビットが伝送される。一方、受信部１０６から出力されるデータは並列データであり、１クロック当りグラフィックデータは８ビット、コントロールデータは４ビットである。
【００８７】
直列／並列変換器４０２、４０４、４０６、４０８は図１に示された送信部１０４から提供される９ビットのシリアルデータＩｎ＿Ｒ、Ｉｎ＿Ｇ、Ｉｎ＿Ｂ、Ｉｎ＿コントロールをラッチし、これらを９ビットの並列データに変換して出力する。ここで、Ｉｎ＿Ｒ、Ｉｎ＿Ｇ、Ｉｎ＿Ｂ、そしてＩｎ＿コントロールは各々図２に示された装置から出力されるＯｕｔ＿Ｒ、Ｏｕｔ＿Ｇ、Ｏｕｔ＿Ｂ、そしてＯｕｔ＿コントロールに対応する。
【００８８】
直列／並列変換器４０２、４０４、４０６から出力される９ビットの並列データは各々ラッチ４１０、４１２、４１４、整合器４１８、４２０、４２２を通じてデータ同期部４２６、４２８、４３０に提供される。
【００８９】
直列／並列変換器４０８から出力される９ビットの並列コントロールデータはコントロールラッチ４１６を通じてコントロール同期部４２４に提供される。
【００９０】
図５はコントロール同期部４２４の動作を図式的に示す。直列／並列変換器４０８は内部クロック信号に同期してコントロールチャンネルを通じてシリアル伝送されたコントロールデータを９ビットずつ束ねて並列データに変換する。ここで、内部クロック信号がクロックチャンネルを通じて伝送されたクロックデータＩｎ＿クロックに同期されて発生するが、直列／並列変換器４０８が符号化されたコントロールデータの最初に正確に合せて９ビットずつ切断したかは明確でない。コントロール同期部４２４はコントロールデータの始終を正確に判別するために図２のコントロール符号化部２１６で使われたコントロールデータのエンコーディング条件を用いる。
【００９１】
図５において、“コントロールワード境界”はコントロールデータの正確な範囲を示し、１ビット先行、２ビット先行、そして３ビット先行は最初の位置が各々１ビット、２ビット、そして３ビットだけ先行した場合を示す。一方、１ビット遅れ、２ビット遅れ、そして３ビット遅れは最初の位置が各々１ビット、２ビットそして３ビットだけ遅れた場合を示す。
【００９２】
コントロール同期部４２４は図２に示されたコントロール符号化部２１６で適用された４つの符号化規則を用いて次の通り図５に示された６つのずれる場合を判別する。
【００９３】
１ビット先行の場合：条件３を違反
２ビット先行の場合：条件１を違反
３ビット先行の場合：条件４を違反
１ビット遅れの場合：条件１を違反
２ビット遅れの場合：条件２を違反
３ビット遅れの場合：条件１を違反
前述した判定方法によって最大±３ビット以内で正確にコントロールデータを整列しうる。コントロール同期部４２４は図５に示された“コントロールワード境界”と判定される場合に該当される９ビットデータを出力する。
【００９４】
図６と図７は図４に示されたコントロール同期部４２４の動作を示す状態遷移図である。
【００９５】
コントロール同期部４２４はエンコーディング条件に合うか否かによってｔｒｕｅ、ｆａｌｓｅを判断し、結果がｔｒｕｅの場合はＳｙｎｃ＿Ｉｎ、ｆａｌｓｅの場合はＳｙｎｃ＿Ｏｕｔと定義する。
【００９６】
これを数式で表現すると次の通りである。
【００９７】
Ｓｙｎｃ＿ＩｎｏｒＳｙｎｃ＿Ｏｕｔ＝（ｂｉｔ［８］ＸＯＲ  ｂｉｔ［７］）ＡＮＤ（ｂｉｔ［７］ＸＮＯＲ−ｂｉｔ［６］）  ＡＮＤ（ｂｉ  ｔ［５］ＸＮＯＲ−ｂｉｔ［４］ＡＮＤ（ｂｉｔ［１］ＸＮＯＲ−ｂｉｔ［０］）
ここで、“−”は反転を意味する。
【００９８】
図６に示された状態遷移図にはデュー（ＤＵＥ）、遅れ（ＬＡＴＥ）、先行（ＥＡＲＬＹ）、ＳＹＮＣ＿ＩＮ、ＳＹＮＣ＿ＯＵＴ、ＳＹＮＣの６つの状態がある。デュー状態、遅れ状態、そして先行状態ではビット８からビット０の順に正確に整列されたコントロールデータが３回以上入力されると、ＳＹＮＣ＿ＩＮ状態を経てＳＹＮＣ状態に移動し、もし３回未満に入力されるとＳＹＮＣ＿ＯＵＴ状態を経て次のＳｔａｔｅに移動して正しい整列のための状態を探す。また、ＳＹＮＣ状態では既に正しく整列されたコントロールデータから１５回以上エラーが発生すると再びＳＹＮＣ＿ＯＵＴ状態を経て最初のデュー状態から一連の過程を繰り返して行う。
【００９９】
図７は図６に示されたデュー状態、遅れ状態、先行状態の詳細な動作を示す状態遷移図である。図７に示されたように、ＳＹＮＣ＿ＯＵＴ状態を通じてＳＴＡＴＥ＿１に移動し、正確なコントロールデータが入力される度にＳＴＡＴＥ＿２、ＳＴＡＴＥ＿３を通じてＳＹＮＣ＿ＩＮ状態に移動する。即ち、各状態に移動した後３回連続正しいコントロールデータが入力されるとＳＹＮＣ＿ＩＮ状態に移動する。
【０１００】
各ステートＳＴＡＴＥ＿１、ＳＴＡＴＥ＿２、ＳＴＡＴＥ＿３で正しいコントロールデータが入力されないとＳＹＮＣ＿ＯＵＴ状態に移動する。
【０１０１】
以上の過程を経てコントロール同期部４２４は正確に９ビットずつ整列されたコントロールデータをコントロール復号化部４３２に伝送しうる。
【０１０２】
コントロール復号化部４３２はコントロール同期部４２４から提供される９ビットのコントロールデータから４ビットのコントロールビットを復号する。復号化方法は図２に示されたコントロール符号化器２１６で適用された符号化方法の逆に行われる。
【０１０３】
データ同期部４２６、４２８、４３０はコントロール復号化部４３２から復元されたＤＥが“ロー”の時Ｓｙｎｃ＿Ｖｉｄｅｏ＿Ｃｏｄｅを用いてコントロール同期部４２４のような動作を通じてＲ／Ｇ／Ｂ各チャンネルの９ビットデータを正確に整列する。
【０１０４】
コントロールデータは各ビット間の符号化ルールを定め、これを用いて整列するが、ビデオデータはＳｙｎｃ＿Ｖｉｄｅｏ＿Ｃｏｄｅを用いて整列するという点で異なる。
【０１０５】
即ち、データ同期部４２６、４２８、４３０はデュー状態、遅れ状態、そして先行状態では３回以上正しいＳｙｎｃ＿Ｖｉｄｅｏ＿Ｃｏｄｅが入力されるとＳＹＮＣ＿ＩＮ状態を経てＳＹＮＣ状態に移動し、もし３回未満に入力されると次の状態に移動して正しい整列のための状態を探す。また、ＳＹＮＣ状態では既に正しく整列されたデータから１５回以上エラーが発生すると再びＳＹＮＣ＿ＯＵＴ状態を経て最初のデュー状態から一連の過程を繰り返して行う。
【０１０６】
データデスクランブラ４３４、４３６、４３８はコントロール復号化部４３２から復元されたＤＥを用いてディスクランブリングを行う。コントロール復号化部４３２から復元されたＤＥが“ロー”の時はデータ同期部４２６、４２８、４３０から入力されたＳｙｎｃ＿Ｖｉｄｅｏ＿Ｃｏｄｅを無視してＡｌｌ  Ｚｅｒｏを出力する。
【０１０７】
コントロール復号化部４３２から復元されたＤＥが“ハイ”の時はデータ同期部４２６、４２８、４３０から入力された９ビットのデータをディスクランブリングして出力する。
【０１０８】
ＤＥが“ハイ”の時のデスクランブラ４３４、４３６、４３８の動作条件は次の通りである。
【０１０９】
（１）ヘッダビット＝１であれば、ヘッダビットを除いた８ビットを反転して出力する。
【０１１０】
（２）ヘッダビット＝０であれば、ヘッダビットを除いた８ビットをそのまま出力する。
【０１１１】
デスクランブラ４３４、４３６、４３８を通じてディスクランブリングされたデータは出力クロック信号Ｏｕｔ＿クロックに同期して各々Ｏｕｔ＿Ｒ［７：０］、Ｏｕｔ＿Ｇ［７：０］、Ｏｕｔ＿Ｂ［７：０］として出力される。
【０１１２】
コントロール整合器４４０はデスクランブラ４３４、４３６、４３８を通じて出力される８ビットのパラレルグラフィックデータとコントロール復号化部４３２から出力される４ビットの平行コントロールデータの時間間隔を合せるためにコントロール復号化部４３２から出力される４ビットのパラレルコントロールを遅延する。
【０１１３】
パワーオンリセット部４４４はパワーオンの時、図４に示された装置の動作をリセットする。
【０１１４】
【発明の効果】
前述したように本発明に係るデジタルビデオデータの伝送方法は、デジタルビデオデータをチャンネル別にシリアル伝送するに当たってチャンネル内のＤＣバランスを保ち、チャンネル間スキューに対応しうる。
【図面の簡単な説明】
【図１】本発明に係るデジタルビデオデータの送受信装置の構成を示すブロック図である。
【図２】図１に示されたデジタルビデオデータ送信部の詳細な構成を示すブロック図である。
【図３】図２に示されたスクランブラの動作を示すフローチャートである。
【図４】図１に示されたビデオデータ受信部の詳細な構成を示すブロック図である。
【図５】図４に示されたコントロール同期部の動作を図式的に示す図である。
【図６】図４に示されたコントロール同期部の動作を示す状態遷移図である。
【図７】図６に示された各状態の動作を示すサブ状態遷移図である。
【符号の説明】
１０２  ＬＣＤグラフィック制御部
１０４  送信部
１０６  受信部
１０８  ＬＣＤパネル制御部
２０２、２０４、２０６  データラッチ
２０８、４１６  コントロールラッチ
２１０、２１２、２１４  スクランブラ
２１６  コントロール符号化部
２１８、４１８、４２０、４２２  整合器
２２０、２２２、２２４  並列／直列変換器
２２６  並列／直列変換器コントロール
２２８、４４２  ＰＬＬ
２３０、４４４  パワーオンリセット部
４０２、４０４、４０６、４０８  直列／並列変換器
４１０、４１２、４１４  ラッチ
４２４  コントロール同期部
４２６、４２８、４３０  データ同期部
４３２  コントロール復号化部
４３４、４３６、４３８  デスクランブラ
４４０  コントロール整合器
【図１】
0003556174.tif 000004
【図２】
0003556174.tif 000005
【図３】
0003556174.tif 000006
【図４】
0003556174.tif 000007
【図５】
0003556174.tif 000008
【図６】
0003556174.tif 000009
【図７】
0003556174.tif 000010